(57)【特許請求の範囲】
【請求項１】
帳票を画素に分割して光電変換によりカラーで取り込む手段と、
色空間上の点を指定する手段と、
前記色空間の原点と前記指定された点とを通る直線を２値化軸として、前記取り込まれた各画素に相当する前記色空間での点の前記２値化軸への射影値を求値する手段と、
前記求値された射影値を所定の閾値により２値化する手段と、
前記２値化により得られたイメージを処理する手段と
を有することを特徴とする文字読取装置。
【請求項２】
前記色空間上の点の指定は、前記帳票を構成する各フィールドごとに行ない、
前記射影値の求値は、前記取り込まれた各画素のうち前記各フィールドに属する画素について行う
ことを特徴とする請求項１記載の文字読取装置。
【請求項３】
前記カラーで取り込まれた帳票のカラーイメージを表示する手段と、
前記表示されたカラーイメージ上で特定の位置または領域を指定できる手段とをさらに有し、
前記色空間上の点の前記指定は、前記指定された特定の位置または領域の画素が有するカラー情報を参照してなされる
ことを特徴とする請求項１または２記載の文字読取装置。
【請求項４】
前記色空間上の点の前記指定は、複数の点について行ない、
前記射影値は、前記複数の点の指定により得られる複数の２値化軸それぞれについて求値し、
前記イメージを処理する手段は、前記２値化により得られた複数のイメージについて論理和を求めるまたは論理積を求める処理を含む
ことを特徴とする請求項１ないし３のいずれか１項記載の文字読取装置。
【請求項５】
前記２値化により得られたイメージを表示する手段と、
前記指定された色空間上の点を更新指定する手段と
をさらに有することを特徴とする請求項１ないし４のいずれか１項記載の文字読取装置。
【請求項６】
前記色空間は、色相、彩度、明度を成分とする空間であることを特徴とする請求項１ないし５のいずれか１項記載の文字読取装置。
【請求項７】
帳票を画素に分割して光電変換によりカラーで取り込むステップと、
色空間上の点を指定するステップと、
前記色空間の原点と前記指定された点とを通る直線を２値化軸として、前記取り込まれた各画素に相当する前記色空間での点の前記２値化軸への射影値を求値するステップと、
前記求値された射影値を所定の閾値により２値化するステップと、
前記２値化により得られたイメージを処理するステップと
を有することを特徴とする文字読取方法。
【請求項８】
前記色空間上の点の指定は、前記帳票を構成する各フィールドごとに行ない、
前記射影値の求値は、前記取り込まれた各画素のうち前記各フィールドに属する画素について行う
ことを特徴とする請求項７記載の文字読取方法。
【請求項９】
前記カラーで取り込まれた帳票のカラーイメージを表示するステップと、
前記表示されたカラーイメージ上で特定の位置または領域の指定を受け付けるステップとをさらに有し、
前記色空間上の点の前記指定は、前記指定された特定の位置または領域の画素が有するカラー情報を参照してなされる
ことを特徴とする請求項７または８記載の文字読取方法。
【請求項１０】
前記色空間上の点の前記指定は、複数の点について行ない、
前記射影値は、前記複数の点の指定により得られる複数の２値化軸それぞれについて求値し、
前記イメージを処理するステップは、前記２値化により得られた複数のイメージについて論理和を求めるまたは論理積を求める処理を含む
ことを特徴とする請求項７ないし９のいずれか１項記載の文字読取装置。
【請求項１１】
前記２値化により得られたイメージを表示するステップと、
前記指定された色空間上の点を更新指定するステップと
をさらに有することを特徴とする請求項７ないし１０のいずれか１項記載の文字読取方法。
【請求項１２】
前記色空間は、色相、彩度、明度を成分とする空間であることを特徴とする請求項７ないし１１のいずれか１項記載の文字読取方法。
【請求項１３】
帳票を画素に分割して光電変換によりカラーで取り込むステップと、
色空間上の点を指定するステップと、
前記色空間の原点と前記指定された点とを通る直線を２値化軸として、前記取り込まれた各画素に相当する前記色空間での点の前記２値化軸への射影値を求値するステップと、
前記求値された射影値を所定の閾値により２値化するステップと、
前記２値化により得られたイメージを処理するステップと
をコンピュータに実行させる文字読取プログラムを記録したコンピュータ読取可能な情報記憶媒体。
【請求項１４】
前記色空間上の点の指定は、前記帳票を構成する各フィールドごとに行ない、
前記射影値の求値は、前記取り込まれた各画素のうち前記各フィールドに属する画素について行う
ことを特徴とする請求項１３記載の文字読取プログラムを記録したコンピュータ読取可能な情報記憶媒体。
【請求項１５】
前記文字読取プログラムは、前記カラーで取り込まれた帳票のカラーイメージを表示するステップと、前記表示されたカラーイメージ上で特定の位置または領域の指定を受け付けるステップとをさらに有し、
前記色空間上の点の前記指定は、前記指定された特定の位置または領域の画素が有するカラー情報を参照してなされる
ことを特徴とする請求項１３または１４記載の文字読取プログラムを記録したコンピュータ読取可能な情報記憶媒体。
【請求項１６】
前記色空間上の点の前記指定は、複数の点について行ない、
前記射影値は、前記複数の点の指定により得られる複数の２値化軸それぞれについて求値し、
前記イメージを処理するステップは、前記２値化により得られた複数のイメージについて論理和を求めるまたは論理積を求める処理を含む
ことを特徴とする請求項１３ないし１５のいずれか１項記載の文字読取プログラムを記録したコンピュータ読取可能な情報記憶媒体。
【請求項１７】
前記文字読取プログラムは、前記２値化により得られたイメージを表示するステップと、前記指定された色空間上の点を更新指定するステップとをさらに有することを特徴とする請求項１３ないし１６のいずれか１項記載の文字読取プログラムを記録したコンピュータ読取可能な情報記憶媒体。
【請求項１８】
前記色空間は、色相、彩度、明度を成分とする空間であることを特徴とする請求項１３ないし１７のいずれか１項記載の文字読取プログラムを記録したコンピュータ読取可能な情報記憶媒体。
【発明の詳細な説明】
【０００１】
【発明の属する技術分野】
本発明は、記入文字と記入文字以外（文字枠など）とが記載される帳票などを光学的に読み取る文字読取装置に係り、特に、色に関してユーザの任意に設定された基準を用いて２値化して２値化イメージを生成することにより帳票の必要部分を能率的に読み取る文字読取装置、文字読取方法、文字読取プログラムを記録したコンピュータ読み取り可能な情報記憶媒体に関する。
【０００２】
【従来の技術】
帳票をカラーで読み取り必要部分の文字認識をする装置の例として特開平１０−５１６５５公報記載の発明がある。同公報に記載された手段は、三原色（カラー）で読み込んだ値から明度、彩度を抽出し、抽出されたこれらの値によって明度を２値化する場合の条件を変更する。これにより、文字認識に必要のない文字枠など有彩色部分を除いて、文字認識に必要な文字部分を２値化するとしている。
【０００３】
この手段は、有彩色部分を除いて黒文字部分を抽出し２値化して文字認識するための構成であり、例えば、黒ではない文字の認識、有彩色部分を含めた２値化イメージの獲得およびその認識を目的とするものではない。
【０００４】
ところで、帳票を読み取り２値化あるいは認識する場合に、帳票上のおのおののフィールド（２値化あるいは認識すべき部分的領域）に含まれる記載について、種々の条件で２値化したい場合がある。たとえば、手書きの黒文字についてのみの２値化、印刷文字（例えば有彩色）のみの２値化、文字枠など文字でない部分の２値化、これらを組み合わせた記載の２値化などである。さらに、単一の帳票であっても、フィールドごとにこの２値化あるいは認識の条件を変えたい場合もある。これらの機能を実現することにより、記載の選択やフィールドの選択においてきめ細かな２値化が可能となり文字読取装置としての機能性は格段に向上する。
【０００５】
【発明が解決しようとする課題】
上記のように、従来は、帳票を読み取り２値化あるいは認識する場合に、帳票上のおのおののフィールドに含まれる記載について、色彩的に種々の条件で２値化することができなかった。また、単一の帳票において、フィールドごとに２値化あるいは認識の条件を変えることができなかった。
【０００６】
本発明は、帳票を読み取り２値化あるいは認識する場合に、帳票上のおのおののフィールドに含まれる記載について、色彩的に種々の条件で２値化することが可能な文字読取装置、文字読取方法、文字読取プログラムを記録したコンピュータ読み取り可能な情報記憶媒体を提供することを目的とする。
【０００７】
また、単一の帳票において、フィールドごとに２値化あるいは認識の条件を変えることが可能な文字読取装置、文字読取方法、文字読取プログラムを記録したコンピュータ読み取り可能な情報記憶媒体を提供することを目的とする。
【０００８】
また、帳票を読み取り２値化あるいは認識する場合に、帳票上のおのおののフィールドに含まれる記載について、色彩的に種々の条件で２値化した結果をテスト表示させることにより、その条件の妥当性を確認し再設定することが可能な文字読取装置、文字読取方法、文字読取プログラムを記録したコンピュータ読み取り可能な情報記憶媒体を提供することを目的とする。
【０００９】
また、文字枠など２値化あるいは認識に必要のない部分の色彩を確実に捕捉し、その情報により必要な部分を高信頼性で２値化あるいは認識する文字読取装置、文字読取方法、文字読取プログラムを記録したコンピュータ読み取り可能な情報記憶媒体を提供することを目的とする。
【００１０】
また、文字と文字枠などを合わせて２値化することが可能な文字読取装置、文字読取方法、文字読取プログラムを記録したコンピュータ読み取り可能な情報記憶媒体を提供することを目的とする。
【００１１】
【課題を解決するための手段】
上記の課題を解決するため、本発明に係る文字読取装置は、帳票を画素に分割して光電変換によりカラーで取り込む手段と、色空間上の点を指定する手段と、前記色空間の原点と前記指定された点とを通る直線を２値化軸として前記取り込まれた各画素に相当する前記色空間での点の前記２値化軸への射影値を求値する手段と、前記求値された射影値を所定の閾値により２値化する手段と、前記２値化により得られたイメージを処理する手段とを有することを特徴とする。
【００１２】
色空間上の点を指定することにより、帳票に対して特定の色彩基準による２値化がなされる。
【００１３】
また、前記色空間上の点の指定は、前記帳票を構成する各フィールドごとに行ない、前記射影値の求値は、前記取り込まれた各画素のうち前記各フィールドに属する画素について行うことを特徴とする。
【００１４】
帳票の各フィールドに対して適切な特定の色彩基準による２値化がなされる。
【００１５】
また、さらに、前記カラーで取り込まれた帳票のカラーイメージを表示する手段と、前記表示されたカラーイメージ上で特定の位置または領域を指定できる手段とを有し、前記色空間上の点の前記指定は、前記指定された特定の位置または領域の画素が有するカラー情報を参照してなされることを特徴とする。
【００１６】
指定された特定の位置または領域の画素が有するカラー情報の参照により、より簡便に色彩基準のための色空間上の点を指定する。
【００１７】
また、前記色空間上の点の前記指定は、複数の点について行ない、前記射影値は、前記複数の点の指定により得られる複数の２値化軸それぞれについて求値し、前記イメージを処理する手段は、前記２値化により得られた複数のイメージについて論理和を求めるまたは論理積を求める処理を含むことを特徴とする。
【００１８】
複数の色彩についてドロップアウトさせ、または２値化イメージとして得る。
【００１９】
また、さらに、前記２値化により得られたイメージを表示する手段と、前記指定された色空間上の点を更新指定する手段とを有することを特徴とする。
【００２０】
２値化により得られたイメージを表示することにより、２値化する基準の妥当性を確認することができる。これが妥当でない場合に色空間上の点の指定を更新指定する。
【００２１】
また、前記色空間は、色相、彩度、明度を成分とする空間であることを特徴とする。
【００２２】
人の色感覚と合致して色空間上の点指定を行う。
【００２３】
また、本発明に係る文字読取方法、文字読取プログラムを記録したコンピュータ読取可能な情報記憶媒体は、上記の各手段の機能を実現するステップを有する。
【００２４】
【発明の実施の形態】
以下、本発明の実施形態を図面を参照しながら説明する。
【００２５】
図１は、本発明の一実施形態である文字読取装置の構成を示す構成図（同図（ａ））およびその文字読取装置内に設けられるＯＣＲ（ｏｐｔｉｃａｌ  ｃｈａｒａｃｔｅｒ  ｒｅａｄｅｒ）システムの構成を示す構成図（同図（ｂ））である。
【００２６】
同図（ａ）に示すように、この実施形態の文字読取装置は、スキャナ１、ＰＣ（ｐｅｒｓｏｎａｌ  ｃｏｍｐｕｔｅｒ）２とを有し、ＰＣ２の内部には、ＯＣＲシステム３がある。ＯＣＲシステム３は、同図（ｂ）に示すように帳票定義プログラム５、ＯＣＲ読取プログラム４、ＦＣ（ｆｏｒｍａｔ  ｃｏｎｔｒｏｌ）テーブル６とを有する。
【００２７】
スキャナ１は、ＰＣ２の制御の下、帳票を光学的にカラーで読み取り、読み取られた情報を電気信号に変換しＰＣ２に供給するものである。ＰＣ２は、供給された読み取り情報に対してＯＣＲシステム３が処理を行うためのハードウェア資源となるものである。ＯＣＲシステム３は、供給された読み取り情報のほかユーザ入力の情報を処理し、２値化イメージの生成、文字認識などを行うものである。
【００２８】
帳票定義プログラム５は、帳票の各フィールドごとに読取の色彩的な条件を設定するものであり、設定された条件をＦＣテーブル６に供給する。ＯＣＲ読取プログラム４は、ＦＣテーブル６の内容を参照して、供給された読み取り情報を用いて２値化イメージの生成、文字認識などを行うものである。ＦＣテーブル６は、以上の他要素との結合により、帳票の各フィールドごとに読取の色彩的な条件の保存先となり、２値化イメージの生成、文字認識を行うための参照先となるものである。
【００２９】
次に、この実施形態の動作について説明する。
【００３０】
まず、スキャナ１に読み取るべき帳票を載置し、スキャンすることによりカラーイメージを取り込み、帳票定義の情報を設定、すなわち、読取の色彩的な条件などを設定する。帳票定義の情報設定画面は、ＰＣ２のディスプレイ上に表示される。
【００３１】
図２は、帳票定義の情報設定画面の例を示す図である。同図に示すように帳票定義の情報設定画面１０には、読み込んだ帳票のカラーイメージ２０とフィールド情報の定義窓３０が表示される。
【００３２】
カラーイメージ２０には、文字読取すべき複数のフィールド２１、２２、２３、２４が存在し、その中からここで定義入力するフィールドが選択され、そのフィールドは選択中であることが矩形表示される。この図では、現在、フィールド２１が選択されている。
【００３３】
フィールド情報の定義窓３０には、フィールド番号３１、読取フィールド選択受付表示３２、イメージフィールド選択受付表示３３、フィールドの開始点（開始座標）表示３４、フィールドの終了点（終了座標）表示３５、字体表示３６、字種表示３７、特殊属性表示３８、２値化軸選択表示３９、選択された２値化軸の彩度表示４０、同じく色相表示４１、同じく明度表示４２、２値化閾値表示４３、テスト２値化受付表示４４がある。
【００３４】
ここで、読取フィールド選択受付表示３２に入力し読取フィールドを選択した場合には、そのフィールドは所定の基準で２値化され、２値化されたイメージは文字認識される。対して、イメージフィールド選択受付表示３３に入力しイメージフィールドを選択した場合には、そのフィールドは所定の基準で２値化されるが文字認識処理までは行わない。すなわち、この選択は、そのフィールドを単なるイメージとして処理するか、文字として認識し処理するかの選択である。
【００３５】
読取フィールド選択受付表示３２、イメージフィールド選択受付表示３３以外の表示については、以下、帳票定義の情報設定の説明で述べる。
【００３６】
帳票定義の情報設定の手順を図５の流れ図を参照して説明する。
【００３７】
まず、上記でも説明したように、帳票のイメージを取り込み（ステップ８１）、帳票定義の情報設定画面の表示により、そのイメージが表示される（ステップ８２）。
【００３８】
次に、矩形によりフィールドを指定する。この指定は、例えば、表示されたイメージ上でそのフィールドの開始点から終了点までを指定・ドラッグすることによりなし得る。これにより、図２における開始点表示３４、終了点表示３５には、指定・ドラッグされた位置に従い、実際の数値が例えば単位をｍｍあるいはドットとして表示される。または、例えば、開始点表示３４、終了点表示３５に直接数値を入力してもよい。この場合、その入力された数値に従ってカラーイメージ２０上に矩形が表示される。
【００３９】
次に、読取情報設定を行う（ステップ８４）。ここでは、まず字体・字種・特殊属性の設定を行う（ステップ８５）。これらは、図２における字体表示３６、字種表示３７、特殊属性表示３８に入力することにより行う。ここで、字体とは、例えば、手書き文字、印刷文字の別、字種とは、例えば、数字、英文字、仮名文字、漢字などの別、特殊属性とは、例えば、フィールド内をさらに分割して分割された領域ごとに２値化や文字認識するか否かをいう。
【００４０】
読取情報設定（ステップ８４）は、さらに２値化軸の決定（ステップ８６）の手順を含む。２値化軸の決定とは、色空間における原点（黒）とある色を示す座標点とを通る軸を一意に決定することをいう。この軸を決定すると、色空間上のすべての色を示す点について、その軸成分の値を計算することができる。すなわち、その値は、色空間においてある点からその軸に射影された点の示す軸上の値である。また、２値化軸の決定によりその軸上での２値化の閾値が設定される。これらの情報は、図１で説明したＦＣテーブル６に保存される（ステップ８７）。
【００４１】
このような２値化軸の決定と閾値の設定は、例えば、ドロップアウト色（２値化や認識において無視すべき色）を適切に捕捉し、ドロップアウト色を無視して各色を信頼性高く２値化または認識する場合に重要である。色空間におけるドロップアウト色の座標を通るように２値化軸を決定すれば、ドロップアウト色の有無が最大限に感度よく検出できるので、ドロップアウト色以外との区別がより容易になるからである。本実施形態においては、この２値化軸の決定と閾値の設定は、フィールドごとに行うことができる（ステップ８８からステップ８３）。これにより、そのフィールドの処理に最も適切な読取情報の設定が可能となる。
【００４２】
ここで、この２値化軸の決定と閾値の設定の具体的な手順の例について図６を用いて説明する。同図は、２値化軸の決定と閾値の設定の具体的な手順を示す流れ図である。
【００４３】
同図に示すように、２値化軸の決定のため、まず、代表的な軸（ここでは、例えば３原色であるＲ軸、Ｇ軸、Ｂ軸が用意される。）を選択するか否かが選択される（ステップ９１）。代表的な軸を選択すると（ステップ９５）、その軸における２値化閾値がデフォルトとして提示され、ユーザは、さらにこの値を変更することもできる（ステップ９６）。
【００４４】
このような２値化軸の選択は、典型的な色成分の有無という観点から２値化や認識を行うものである。例えば、ドロップアウト色が赤っぽいとか緑っぽいとがはっきりしている場合には簡易的に使用することができる。２値化閾値がデフォルトとして提示されるのは、ユーザに対する便宜のためであるが、ユーザはより適切な閾値に直すことができる。これは、ステップ９６からテスト２値化実行（ステップ９７）をＹ側に流れ、以下、ステップ９８、ステップ９９、ステップ９１、ステップ９５、ステップ９６の手順により、２値化の結果を確認しつつ（ステップ９８）なすことができる。
【００４５】
なお、これらの選択、提示・変更は、図２における２値化軸選択表示３９の中にあるＲ軸、Ｇ軸、Ｂ軸の各選択表示、および２値化閾値表示４３に反映する。
【００４６】
また、上記のようにステップ９６からテスト２値化実行の選択ステップ９７で実行を選択した場合（これは、図２におけるフィールド情報の定義窓３０のテスト２値化表示４４をクリックすることによりなされる。）には、そこで選択されている２値化軸および２値化閾値を用いて選択されているフィールドのテスト２値化がなされる（ステップ９８）。この結果は、図１で説明したＰＣ１の画面上に表示される。例えば、図２におけるカラーイメージ２０のフィールド２１であれば、テスト２値化の結果は、例えば図４に示すようになされる。この結果でよければこの２値化軸の決定と閾値の設定ルーチンは終了し、結果が満足なものでなければ再度ステップ９１からやり直す。
【００４７】
対して、２値化軸の決定において、代表的軸を用いない場合は、２値化軸の設定画面の表示がなされ（ステップ９２）、以下、２値化軸とその軸上の閾値が設定される。
【００４８】
すなわち、２値化軸の設定画面では、前述のように、例えばドロップアウト色の色空間における座標を指定・入力する。この座標は、ここでは、色相、彩度、明度からなる色空間上の座標としているが（ステップ９３）、これは、人にとって感覚的に分かりやすいからである。
【００４９】
色空間における座標を指定・入力すると、２値化軸が一意に決定する。これにより、その軸における２値化閾値が提示され、ユーザはその値を変更することもできる（ステップ９４）。２値化閾値がまず提示されるのは、デフォルト値をまず提示することによりユーザに便宜を与えるためである。デフォルト値の提示の具体的なやり方としては、指定される２値化軸に対してその軸上のデフォルト閾値を指示するテーブルを用意しておくことにより、このテーブルの参照によりなし得る。変更は、ステップ９４から、ステップ９７をＹ側に流れ、ステップ９８、ステップ９９、ステップ９１、ステップ９２、ステップ９３、ステップ９４の手順により、２値化の結果を確認しつつ（ステップ９８）なすことができる。
【００５０】
なお、これらは、図２における２値化軸選択表示３９の中にある「その他設定」表示、彩度表示４０、色相表示４１、明度表示４２、および２値化閾値表示４３の表示に反映する。
【００５１】
また、テスト２値化実行の選択ステップ９７以下の手順については、上記の代表軸を選択した場合において説明したので省略する。
【００５２】
次に、上記の図６における説明に登場した２値化軸の設定画面（ステップ９２）の例について、図３を参照して説明する。図３は、２値化軸設定画面の一例を示す図である。
【００５３】
図３に示すように、２値化軸設定画面５１には、色相５３、彩度５４をそれぞれｙ軸、ｘ軸とする色彩平面５２と、明度５８を示すための表示がある。すなわち、２値化軸を決定するための、例えばドロップアウト色の色空間における座標を、色相５３、彩度５４については色平面５２上の十字ポインタ５５の位置により、明度５８については位置ポインタ５７の高さにより、それぞれ指示することができる。
【００５４】
この場合において、ユーザがこれらの指示を全く何らの手がかりなしに設定するとすると負担が大きく実用的とは言えない。その改善のため、例えば、図２に示した帳票定義の情報設定画面１０における帳票のカラーイメージ２０のフィールド２１について現在設定しているとした場合を例にとって説明する。
【００５５】
今、ここで、手書きの記載が２値化および認識の対象であり、有彩色の文字枠が２値化および認識の対象でない場合には、フィールド２１内の文字枠のいずれかの部分をカーソル指定する。これにより、カーソル指定された部分の色相、彩度、明度を自動的に２値化軸設定画面５１の色平面５２の十字ポインタ５５、明度の指示ポインタ５７の位置に反映させる。これにより、デフォルトとして色相、彩度、明度を提示することができる。
【００５６】
また、別の方法として、フィールド２１内の黒ではない有彩色部分（画素）について色相、彩度、明度の平均を求め、これらの値を２値化軸設定画面５１の色平面５２の十字ポインタ５５、明度の指示ポインタ５７の位置に反映させるとすることもできる。この場合には、デフォルト値が一部の画素に影響されないという利点が生ずる。
【００５７】
さらに、２値化軸設定画面５１においては、色相５３、彩度５４の色平面５２上で、複数の色を指定することができるようにしてもよい。この効果は、例えば２つの色を選択・指定した場合には、そのフィールドについて第１の指定に基づく２値化イメージを得るとともに、第２の指定に基づく２値化イメージをも得ることができるので、その２つの２値化イメージの論理和あるいは論理積を演算することで２つの色についてドロップアウトさせ、または２値化イメージを得ることができることである。同様に、３つ以上の選択・指定についても色を増加させて同様の効果を得ることができる。
【００５８】
また、色相５３、彩度５４の指定に、色平面５２上で領域を指定することができるようにしてもよい。この場合の指定は、例えば、指定枠５６のように行う。この場合の効果も、本質的には、上記の複数の色を指定できるようにした場合と同じである。すなわち、領域として指定した場合には、その領域に含まれる各色が指定されていると考えることができ、そのそれぞれの色指定について２値化イメージを得ることができる。したがって、それらの２値化イメージの論理和あるいは論理積を演算することでそれら指定された領域の色についてドロップアウトさせ、あるいは２値化イメージを得ることができる。
【００５９】
この場合において、指定領域に含まれるすべての色（各デジタル値に対応する色）指定について２値化イメージを求めるのは処理の負担が相当に大きくなるので、領域に含まれるあらかじめ決められた代表点について色指定がなされたとして処理してもよい。
【００６０】
以上のようにして、帳票定義の情報設定が終わると、この情報に基づき実際の帳票の読取処理を行う。
【００６１】
【発明の効果】
以上詳述したように、本発明に係る文字読取装置、文字読取方法、文字読取プログラムを記録したコンピュータ読取可能な記憶媒体によれば、色空間上の点を指定し、色空間の原点と指定された点とを通る直線を２値化軸として取り込まれた各画素の２値化軸への射影値を求値し、求値された射影値を所定の閾値により２値化するので、帳票に対して特定の色彩基準による２値化がなされる。これにより、ユーザの自由度を確保した上で各帳票、各フィールドに最適な２値化イメージを得て文字認識などの処理を行うことができる。
【図面の簡単な説明】
【図１】本発明の一実施形態である文字読取装置の構成を示す構成図（同図（ａ））およびその文字読取装置内に設けられるＯＣＲ（ｏｐｔｉｃａｌ  ｃｈａｒａｃｔｅｒ  ｒｅａｄｅｒ）システムの構成を示す構成図。
【図２】帳票定義の情報設定画面の例を示す図。
【図３】２値化軸設定画面の一例を示す図。
【図４】テスト２値化の結果表示の一例を示す図。
【図５】帳票定義の情報設定の手順を示す流れ図。
【図６】２値化軸の決定と閾値の設定の具体的な手順を示す流れ図。
【符号の説明】
１    スキャナ
２    ＰＣ
３    ＯＣＲシステム
４    ＯＣＲ読取プログラム
５    帳票定義プログラム
１０    帳票定義の情報設定画面
２０    カラーイメージ２０
２１、２２、２３、２４    フィールド
３０    フィールド情報の定義窓
３１    フィールド番号
３２    読取フィールド選択受付表示
３３    イメージフィールド選択受付表示
３４    フィールドの開始点（開始座標）表示
３５    フィールドの終了点（終了座標）表示
３６    字体表示
３７    字種表示
３８    特殊属性表示
３９    ２値化軸選択表示
４０    選択された２値化軸の彩度表示
４１    選択された２値化軸の色相表示
４２    選択された２値化軸の明度表示
４３    ２値化閾値表示
４４    テスト２値化受付表示
５１    ２値化軸設定画面
５２    色彩平面
５３    色相
５４    彩度
５５    十字ポインタ
５６    指定枠
５７    位置ポインタ
５８    明度
【図１】
0003805161.tif 000002
【図２】
0003805161.tif 000003
【図３】
0003805161.tif 000004
【図４】
0003805161.tif 000005
【図５】
0003805161.tif 000006
【図６】
0003805161.tif 000007